(57)【要約】【課題】首輪と引き紐を形成できる首輪用紐体として、作動が確実で故障しにくく、耐久性に優れる上に極めて簡素で機能的なものを提供する。【解決手段】紐本体１と、紐本体１の一端に取り付けられる角環２と、紐本体１の中間部に止着される固定金具３とを有し、角環２に紐本体１を他端側から通して形成されるループＬを首輪１１とし、紐本体１の残り部分を引き紐１２とする首輪用紐体において、固定金具３に引き紐１２側に開いた側面視略Ｃ字形の角環掛止部４を備え、角環２の一辺２ａと対向する遊端側一辺２ｂには角環掛止部４内に納まる大きさ異形断面部２０が形成され、異形断面部２０の長径ａが角環掛止部４の入口開き幅より大きく、短径が同入口開き幅と同じ又は小さく設定され、角環掛止部４の入口４ａに対して、角環２が固定金具３止着部分の紐本体１と首輪１１側へ鋭角をなす姿勢では短径ｂ側が臨んで通過可能になり、角環２が同引き紐１２側へ鋭角をなす姿勢では長径ａ側が臨んで通過不能になるように構成されてなる。【選択図】　　　　　　　　図５
2004121102.tif 000002
【特許請求の範囲】
【請求項１】
紐本体と、該紐本体の一端に取り付けられる角環と、該紐本体の中間部の任意位置に止着される固定金具とを有し、前記角環に紐本体を他端側から通して形成されるループを首輪とし、このループから延びた紐本体の残り部分を引き紐とする首輪用紐体において、
前記固定金具は、前記引き紐側に開いた側面視略Ｃ字形の角環掛止部を備え、該角環掛止部の入口開き幅が内奥幅よりも小さく設定され、
前記角環は、その一辺を紐本体の一端に形成された輪状部に挿通することにより、紐本体の一端に該一辺を中心に揺動自在に取り付けられ、該一辺と対向する遊端側一辺に異形断面部が形成され、
前記異形断面部は、前記固定金具の角環掛止部内に納まる大きさであって、且つその長径が該角環掛止部の入口開き幅より大きく、短径が同入口開き幅と同じ又は小さく設定されると共に、該角環掛止部の入口に対して、角環が固定金具止着部分の紐本体と前記首輪側へ鋭角をなす姿勢では短径側が臨んで通過可能になる一方、角環が同引き紐側へ鋭角をなす姿勢では長径側が臨んで通過不能になるように構成されてなる首輪用紐体。
【請求項２】
前記角環の遊端側一辺の異形断面部は、丸軸の径方向両側を切除して短径部を形成したものである請求項１記載の首輪用紐体。
【請求項３】
前記角環は、紐本体の一端に取り付けられた状態で、その内側に前記固定金具の全体を通過させ得る大きさを有してなる請求項１又は２に記載の首輪用紐体。
【請求項４】
紐本体の引き紐側が所要箇所で２つに分離され、その分離端部同士が連結具を介して相対回転及び着脱可能に連結されてなる請求項１〜３のいずれかに記載の首輪用紐体。
【請求項５】
前記固定金具の角環掛止部に、その断面Ｃ字形の曲がり方向に沿う補強リブを有してなる請求項１〜４のいずれかに記載の首輪用紐体。
【請求項６】
前記固定金具は、紐本体に跨嵌させるコ字枠状の金具本体と、該金具本体の両側脚片間に揺動自在に枢着された板状のロックレバーと、このロックレバーをロック状態に保持するロック保持手段とを備え、金具本体には前記角環掛止部が一体形成されると共に、ロックレバーの一端側には鋸刃状係止歯が形成され、該鋸刃状係止歯を金具本体とロックレバーとの間に通した紐本体に食い込ませて該紐本体に止着するように構成されてなる請求項１〜５のいずれかに記載の首輪用紐体。
【請求項７】
前記金具本体の両側脚片の内面に凸部が形成され、両凸部間の間隔が前記ロックレバーの他端側対応部の幅よりも若干狭く設定され、前記ロック保持手段は、金具本体の両側脚片の弾性を利用して、ロックレバーの他端側を外側から両側脚片間の内側へ両凸部間を越えて強制的に嵌入させるようにしたものである請求項６記載の首輪用紐体。
【発明の詳細な説明】
【０００１】
【発明の属する技術分野】
本発明は、犬その他のペットに使用されるる首輪用紐体、特に首輪と引き紐とが一体になった首輪用紐体に関する。
【０００２】
【従来の技術】
周知のように、従来より汎用される犬の首輪と引き紐は、それぞれが別個の製品として市販されておる。しかるに、このような首輪と引き紐では、使用に際し、一般的にベルト状をなす首輪を犬の首に巻いて輪状に留め付け、この首輪に引き紐を繋ぐことになるため、二段階の操作を必要として手間がかかる。また、首輪の方は、犬の首に殆ど着けっ放しにしておくのが普通であるため、汚くなって長持ちしにくく、また犬にストレスを与えることにもなる。
【０００３】
そこで、本発明者は、先に特願２００２０１１００２２として、紐本体の一端側をループに形成して、このループを固定金具によって任意の大きさに固定可能な首輪とし、この首輪から延びた紐本体の残り部分を引き紐とする首輪用紐体を提案している。すなわち、この首輪用紐体では、そのループ部分を犬等のペットの首に嵌めるだけで首輪と引き紐となるから、ペットに対する着脱操作が極めて簡単であり、しかも必要時以外は首輪を外してやれるため、汚れが少なくなって長持ちさせることができると共に、ペットのストレスも軽減できるという利点がある。
【０００４】
【発明が解決しようとする課題】
上記提案に係る首輪用紐体は、上述のように優れた利点を有するものであるが、提示した固定金具が構造的にやや複雑であり、その作動の信頼性、耐久性、製作コスト等の面で多分に改良の余地を残していた。本発明は、この提案に係る首輪用紐体の先行技術を基礎として、更に改良を重ねる過程で得られた着想から、非常に巧妙な仕掛けを採用することにより、作動が確実で故障しにくく、耐久性に優れる上に極めて簡素で機能的な首輪用紐体を実現したものである。
【０００５】
【課題を解決するための手段】
すなわち、請求項１に係る発明の首輪用紐体は、図面の参照符号を付して示せば、紐本体１と、該紐本体１の一端に取り付けられる角環２と、該紐本体１の中間部の任意位置に止着される固定金具３とを有し、前記角環２に紐本体１を他端側から通して形成されるループＬを首輪１１とし、このループＬから延びた紐本体１の残り部分を引き紐１２とする首輪用紐体において、前記固定金具３は、前記引き紐１２側に開いた側面視略Ｃ字形の角環掛止部４を備え、該角環掛止部４の入口開き幅ｄが内奥幅ｃよりも小さく設定され、前記角環２は、その一辺２ａを紐本体１の一端に形成された輪状部１ａに挿通することにより、紐本体１の一端に該一辺２ａを中心に揺動自在に取り付けられ、該一辺２ａと対向する遊端側一辺２ｂに異形断面部２０が形成され、前記異形断面部２０は、前記固定金具３の角環掛止部４内に納まる大きさであって、且つその長径ａが該角環掛止部４の入口開き幅ｄより大きく、短径ｂが同入口開き幅ｄと同じ又は小さく設定されると共に、前記角環掛止部４の入口４ａに対して、角環２が固定金具３止着部分の紐本体１と前記首輪１１側へ鋭角をなす姿勢では短径ｂ側が臨んで通過可能になる一方、角環２が同引き紐１２側へ鋭角をなす姿勢では長径ａ側が臨んで通過不能になるように構成されてなる。
【０００６】
請求項２の発明は、請求項１の首輪用紐体において、前記角環２の遊端側一辺２ｂの異形断面部２０は、丸軸２０ａの径方向両側を切除して短径ｂ部を形成したものとしている。
【０００７】
請求項３の発明は、請求項１又は２の首輪用紐体において、前記角環２は、紐本体１の一端に取り付けられた状態で、その内側に前記固定金具３の全体を通過させ得る大きさを有してなるものとしている。
【０００８】
請求項４の発明は、請求項１〜３のいずれかの首輪用紐体において、紐本体１の引き紐１２側が所要箇所で分離され、その分離された端部同士が連結具５を介して相対回転及び着脱可能に連結されてなるものとしている。
【０００９】
請求項５の発明は、請求項１〜４のいずれかの首輪用紐体において、前記固定金具３の角環掛止部４に、その断面Ｃ字形の曲がり方向に沿う補強リブ６を有してなるものとしている。
【００１０】
請求項６の発明は、請求項１〜５のいずれかの首輪用紐体において、前記固定金具３は、紐本体１に跨嵌させるコ字枠状の金具本体３０と、該金具本体３０の両側脚片３０ａ，３０ａ間に揺動自在に枢着された板状のロックレバー３１と、このロックレバーをロック状態に保持するロック保持手段とを備え、金具本体３０には前記角環掛止部４が一体形成されると共に、ロックレバー３１の一端側３１ａには鋸刃状係止歯７が形成され、該鋸刃状係止歯７を金具本体３０とロックレバー３１との間に通した紐本体１に食い込ませて該紐本体１に止着するように構成されてなる。
【００１１】
請求項７の発明は、請求項６の首輪用紐体において、前記金具本体３０の両側脚片３０ａ，３０ａの内面に凸部８が形成され、両凸部８，８間の間隔ｓが前記ロックレバー３１の他端側対応部の幅よりも若干狭く設定され、前記ロック保持手段は、金具本体３０の両側脚片３０ａ，３０ａの弾性を利用して、ロックレバー３１の他端側３１ｂを外側から両側脚片３０ａ，３０ａ間の内側へ両凸部８，８間を越えて強制的に嵌入させるようにしたものとしている。
【００１２】
【発明の実施の形態】
図１（Ａ）は本発明の一実施形態による首輪用紐体Ｔの使用状態を示す斜視図、図１（Ｂ）は該首輪用紐体Ｔの首輪１１部分の斜視図である。この首輪用紐体Ｔは、紐本体１と、該紐本体１の一端に取り付けられた角環２と、該紐本体１に嵌装されて当該紐本体１の任意位置に止着される固定金具３とを有し、前記角環２に紐本体１を他端側から通して形成されるループＬを首輪１１とし、このループＬから延びた紐本体１の残り部分を引き紐１２とするものであり、引き紐１２の末端に輪状の把手１３が形成されている。
【００１３】
紐本体１は、皮革、合成皮革、太い紐編等よりなる偏平なベルト状であり、中間部で首輪側紐１２ａと末尾側紐１２ｂとに分離され、その分離された端部同士が連結具５によって相対回転及び着脱可能に連結されており、これによって使用中の捩じれが防止される。
【００１４】
前記固定金具３は、紐本体１に跨嵌するコ字枠状の金具本体３０と、該金具本体３０の側脚片３０ａ，３０ａ間に枢着された略矩形板状のロックレバー３１との、いずれも金属板を打抜き及び曲げ加工した２部材からなり、金具本体３０には側面視略Ｃ字形の角環掛止部４が一体形成されている。しかして、図３に示すように、角環掛止部４は、金具本体３０の基板部３０ｂの一端側から延出して、両側脚片３０ａ，３０ａとは反対側へアール状に折り返してＣ字形嵌合部４０を形成すると共に、端縁部４１が基板部３０ｂと平行に延出し、この端縁部４１と基板部３０ｂとの間でスリット状の入口４ａを構成している。そして、金具本体３０の基板部３０ｂと角環掛止部４のＣ字形嵌合部４０には、それぞれ前後方向に沿って外向きに突出した２本の補強リブ６，６が形成されている。また金具本体３０の両側脚片３０ａ，３０ａには、角環掛止部４側の端部に下縁の曲げによって凸部８が形成されると共に、反対側の端部に枢支孔９が穿設され、また中間部に矩形の切欠部１０が設けられている。
【００１５】
ロックレバー３１は、図２に示すように、内向きに折曲した一端側に、その端縁に沿う鋸刃状係止歯７と左右両側の突片３１ａ，３１ａとが設けられ、突片３１ａ，３１ａを金具本体３０の両側脚片３０ａ，３０ａの枢支孔９，９に内側から挿嵌することにより、金具本体３０に両突片３１ａ，３１ａを中心に揺動自在に枢着されている。そして、図示の如く該ロックレバー３１が開いた状態では、鋸刃状係止歯７が金具本体３０の基板部３０ｂと略平行になるように設定されている。また、ロックレバー３１の左右両側には前記折曲した一端側寄りの位置に耳部３１ｂ，３１ｂが突設されると共に、他端側は内側へアール状に曲げられて湾曲端部３１ｃを構成している。
【００１６】
一方、金具本体３０の凸部８，８の間隔ｓは、ロックレバー３１の他端部３２ｂ側つまり遊端側の幅ｗよりも若干狭く設定されている。これより、ロックレバー３１は、図２に示す開いた状態から上向きに回動させて金具本体３０側に強く押し付けた際、両側脚片３０ａ，３０ａの弾性変形を伴って凸部８，８を乗り越えて両側脚片３０ａ，３０ａの内側へ入り込み、以降は図４（Ｃ）（Ｄ）に示すように、凸部８，８がストッパーとなって自然には外側へ離脱できない状態になり、この閉じた姿勢で鋸刃状係止歯７が金具本体３０の基板部３０ｂに対して略垂直な向きになる。従って、紐本体に嵌装された固定金具３は、ロックレバー３１が開いた状態で該紐本体１に沿って移動可能であると共に、該ロックレバー３１を強制的に押圧して閉じることにより、鋸刃状係止歯７が紐本体１に喰い込んで当該紐本体１に移動不能に止着される。なお、ロックレバー３１は、閉じた状態で耳部３１ｂ，３１ｂが金具本体３０の両側の切欠部１０，１０に臨むと共に、湾曲端部３１ｃが金具本体３０の両側脚片３０ａ，３０ａの側端よりも突出するように設定されており、これら耳部３１ｂ，３１ｂ及び湾曲端部３１ｃが閉じた状態から開く際の手掛かりになる。
【００１７】
角環２は、図３に示すように、金属丸棒材を四角形に折り曲げて端部同士を突き合わせて環状にしたものであり、これに通した紐本体１の一端部を折り返して糸で縫合することにより、形成された輪状部１ａに突き合わせ端部のある一辺２ａを挿通した状態で、紐本体１の一端に該一辺２ａを中心に揺動自在に取り付けられている。そして、紐本体１の輪状部１ａに挿通した該一辺２ａと対向する遊端側一辺２ｂには、その丸軸の径方向両側を切除することにより、切除面２０ａ，２０ａ間を短軸として、長径ａ方向が左右両辺２ｃ，２ｃの軸方向に対して３０〜４５度程度に傾斜した略小判形の異形断面部２０を形成している。
【００１８】
ここで、図４（Ａ）〜（Ｄ）に示すように、角環２の異形断面部２０は、その長径固定金具３の角環掛止部４内に納まる大きさ、つまり長径ａが角環掛止部４のＣ字形嵌合部４０の内径ｃより小さく、且つその長径ａが該角環掛止部４の入口開き幅ｄより大きく、短径ｂが同入口開き幅ｄと同じ又は小さく設定されている。すなわち、ｃ＞ａ＞ｄ、ｂ≦ｄである。また、角環２の全体は、紐本体１の一端に取り付けられた状態で、その内側を固定金具３が通過し得る大きさに設定されている。すなわち、角環２の左右内幅をｗ１　、同内側高さをｈ１　、紐本体１の厚みをｔ、固定金具３の幅をｗ２　、同高さをｈ２　として、ｗ１　＞ｗ２　、（ｈ１　−ｔ）＞ｈ２　である。
【００１９】
しかして、固定金具３は、図１（Ｂ）及び図５（Ａ）（Ｂ）に示すように、固定金具３は、角環掛止部４の入口４ａが首輪１１側とは反対側つまり引き紐１２側に開く向きとして、紐本体１に嵌装されている。一方、角環２は、紐本体１にループＬを形成した状態において、図５（Ｂ）に示すように、異形断面部２０を有する遊端側の一辺２ｂが枢着側の一辺２ａよりもループＬ先端側から遠く位置する姿勢で、該異形断面部２０の長軸ａ方向が当該角環２に挿通した紐本体１の挿通方向に対して垂直になり得る向きとして、該紐本体１の輪状部１ａに枢着されている。
【００２０】
図６（Ａ）（Ｂ）は、紐本体１の分離した首輪側紐１２ａと末尾側紐１２ｂとの連結具５による連結部分を示す。図示のように、この連結具５は、一端側にＣ字形のフック部５１を備えたフック金具５ａと、その後端側に相対回転自在に嵌着した環状金具５ｂと、これら両金具５ａ，５ｂとは別体の金属リング５ｃとで構成されており、環状金具５ｂを末尾側紐１２ｂの先端に取り付けると共に、金属リング５ｃを首輪側紐１２ａの末端に取り付け、フック金具５ａのフック部５１を金属リング５ｃに係合させることにより、首輪側紐１２ａと末尾側紐１２ｂとを相対回転及び着脱可能に連結している。
【００２１】
しかして、フック金具５ａは、その軸部５０の中心孔５０ａに、フック部５１の開裂部５１ａに対して出退自在なロックピン５２と、このロックピン５２を突出方向に付勢するコイルスプリング５３とが装填されると共に、該ロックピン５２に止着された操作摘み５２ａが軸部５０のガイド溝より外側へ突出しており、常時は突出状態にあるロックピン５２がフック部５１の開裂部５１ａを閉鎖して金属リング５ｃの離脱を防止する一方、金属リング５ｃとの着脱を行う際には、操作摘み５２ａをコイルスプリング５３の付勢に抗して引いて引戻し操作することにより、ロックピン５２が退入してフック部５１の開裂部５１ａを開放するようになされている。また、フック金具５ａと環状金具５ｂとは、フック金具５ａの他端の突軸部５４を環状金具５ｂに設けた連結穴５５に挿通して、該突軸部５４をかしめ潰すことにより、相対回転自在で且つ離脱不能に連結されている。なお、首輪側紐１２ａへの金属リング５ｃの取り付け、ならびに末尾側紐１２ｂへの環状金具５ｂの取り付けは、既述の角環２と同様に、それぞれに通した紐端部を折り返して縫合するようにしている。
【００２２】
上記構成の首輪用紐体Ｔを例えば犬Ｄに用いる場合、その犬Ｄの首の太さに応じて、角環２と固定金具３との係合位置で形成されるループＬが首輪１１として適する大きさになるように、予め紐本体１における固定金具３の止着位置を設定しておく。しかして、犬の散歩等で該首輪用紐体Ｔを使用するには、角環２を固定金具３よりも手前側（引き紐１２末尾側）にしてループＬを大きくし、このループＬを犬Ｄの頭から首に通した上で、一方の手で角環２を保持した状態で他方の手で引き紐１２を引いてループＬを縮小させ、角環２が固定金具３に接近すれば、図５（Ａ）に示すように、該角環２を固定金具３止着部分の紐本体１に対して首輪１１側へ鋭角をなす姿勢として、その遊端側一辺１ｂを角環掛止部４の入口４ａに合わせる。これにより、角環２の遊端側一辺１ｂは、異形断面部２０の短径ｂ側が角環掛止部４の入口４ａに臨む形になるため、そのまま引き紐１２を引っ張ることにより、該入口４ａを通過して角環掛止部４内に嵌入する。従って、ループＬは予め設定しておいた首輪１１の大きさに保持される。
【００２３】
かくして犬Ｄに装着した首輪１１は、引き紐１２に引張力が働いている状態では角環２が固定金具３止着部分の紐本体１に対して首輪１１側へ鋭角をなす姿勢を保ち、該引張力が角環２と角環掛止部４との掛合方向に作用するため、設定した首輪１１の大きさが適切である限りは当然に犬Ｄの首から抜けることはないが、引き紐１２に引張力が働かない状態での犬Ｄの動き等により、角環２を取り付けた紐本体１の一端（輪状部１ａ）が掛合の離脱方向に変位しても、該角環２が角環掛止部４から離脱しないため、やはり犬Ｄの首から抜けることはない。すなわち、図５（Ｂ）に示すように、角環２を取り付けた紐本体１の一端が図示矢印の如く離脱方向に変位すると、角環２は引き紐１２側へ鋭角をなす姿勢に傾動変位し、この傾動に伴って遊端側一辺１ｂの異形断面部２０が長径ａ側で角環掛止部４の入口４ａに臨む形になり、もって該一辺１ｂは角環掛止部４の入口４ａを通過不能となるため、当該角環２が角環掛止部４から外れることはない。
【００２４】
角環２を角環掛止部４から離脱させるには、該角環２を固定金具３止着部分の紐本体１に対して首輪１１側へ鋭角をなす姿勢にし、この状態のままで離脱方向に力を加える必要があり、操作的には極めて簡単であるが、必ず人の手を要することになる。従って、犬Ｄの散歩等で引き紐１２を人が手にしている場合は無論のこと、所用等で引き紐１２を適当な箇所に繋ぎ留めて放置しておいても、犬Ｄが首輪１１から抜けて離れる懸念はない。
【００２５】
このような首輪用紐体Ｔでは、一本の該紐体Ｔで首輪１１と引き紐１２を構成できる上、首輪１１はループＬを犬等のペットの首に嵌めて角環２を固定金具３の角環掛止部４に掛合させるだけで装着でき、この装着状態から外す際にも上記掛合を容易に解除できるから、ペットに対する着脱操作が極めて簡単であり、取り扱い性に優れる。しかも、角環２と固定金具３との掛合部は構造的に非常に簡素で且つ機能的であり、作動が確実で故障しにくいため、首輪用紐体Ｔとして高い信頼性及び耐久性が得られ、また安価に製作できるという利点がある。しかして、引き紐１２はペットの散歩時以外は殆ど使用する必要がなく、その不要時には首輪１１ごと外すことになるため、必然的に首輪１１の着用期間が少なくなり、それに伴って汚れが少なくなって長持ちさせることができると共に、ペットのストレスも軽減されることになる。
【００２６】
しかして、上記実施形態では、角環掛止部４がその断面Ｃ字形の曲がり方向に沿う補強リブ６を有することから、使用中に角環４との掛合部に外力が加わっても、当該角環掛止部４が入口４ｃの開きを大きくするように変形しにくく、もって角環２が不用意に角環掛止部４から外れるのを確実に防止でき、それだけ作動の信頼性が高くなると共に、耐久性も向上することになる。また、角環２における遊端側一辺２ａの異形断面部２０は、単に丸軸の径方向両側を切除して短径ｂ部としたものであるから、その形成加工が非常に容易であり、もって角環２を安価に製作できるという利点がある。
【００２７】
また、上記実施形態では、角環２が紐本体１の一端に取り付けられた状態で内側に固定金具３を通過させ得る大きさを有することから、該角環２を固定金具３の角環掛止部４に掛合させず、図１（Ｂ）の仮想線で示すように固定金具３を該角環４に潜らせてループＬから外れる位置として、このループＬを犬等の首に掛けることができる。すなわち、この状態ではループＬの大きさが可変であり、犬等が無理に引っ張ろうとすると、ループＬの縮小によって首を締め付けて苦しくなるから、例えば引っ張り癖のある犬等に適用し、その引っ張り癖を治すように躾けることができる。
【００２８】
更に、上記実施形態では、紐本体１が首輪側紐１２ａと末尾側紐１２ｂとに分離し、この分離された端部同士が連結具５によって相対回転及び着脱可能に連結しているため、使用中の引き紐１２の捩れが防止され、もって捩れによって引き紐１２が短くなったり、引き紐１２を掴んでいる手を痛めたりする懸念がないと共に、首輪側紐１２ａと末尾側紐１２ｂの一方が汚損、傷損、切断等で使用不能になっても、その一方のみを取り替えできるから、使用勝手がよい。なお、末尾側紐１２ｂについては、図示の如き把手９を有するものに限らず、例えば長尺のものや末尾に繋ぎ止め手段を有するもの等、必要に応じて他のものと付け替えでき、また形状も例示したベルト状に限らず、ロープ状やチェーン状等の種々の形状のものを使用できる。
【００２９】
なお、本発明の首輪用紐体Ｔに使用する固定金具３としては、例示したロックレバー３１を有するものに限らず、紐本体１に対する止着機構が種々異なるものを同様に採用できる。だだし、前記ロックレバー３１に止着構造は、ズボン等に使用する皮ベルトのべルト金具に汎用されている一般的な止着構造と同様であるから、作動の信頼性が高く、且つ該べルト金具の製作工程の適用によって容易に且つ安価に製作できるという利点がある。また、紐本体１の首輪側紐１２ａと末尾側紐１２ｂとの連結に使用する連結具５としては、両紐１２ａ，１２ｂを相対回転自在に連結できればよく、例示した以外の種々の構造及び形態のものを使用多能である。更に、角環２や連結具５の紐本体１に対する取り付けは、前記実施形態では紐端部の折り返し部分を糸で縫合するようにしているが、縫合に代えてリベットによるかしめやビス止めを採用してもよい。
【００３０】
【発明の効果】
請求項１の発明に係る首輪用紐体は、紐本体の一端に設けた角環に該紐本体を他端側からループを形成し、該角環と紐本体に止着した固定金具の角環掛止部に該角環を掛合することにより、該ループを首輪として該紐本体の残り部分を引き紐とするものであり、首輪と引き紐が別体である場合の両者を繋ぐ手間が省けて製作コストも低減できることに加え、前記角環掛止部が引き紐側に開いた側面視略Ｃ字形をなすと共に、これに掛合させる前記角環の遊端側一辺が異形断面部をなし、通常の使用状態で紐本体に加わる引張力が掛合側に作用し、また紐本体に加わる引張力が働かない状態において角環を取り付けた紐本体の一端が前記掛合の離脱側に変位した場合には、角環の傾動によって前記異形断面部の長径側がこれより狭い角環掛止部の入口に臨む形になり、いずれにしても角環が角環掛止部から離脱しないため、使用中に首輪がペットの首から外れることはなく、所用等で引き紐を適当な箇所に繋ぎ留めて放置しておいてもペットが首輪から抜け出す懸念はない。
【００３１】
一方、角環を角環掛止部に対して角環を着脱する際には、該角環を固定金具止着部分の紐本体に対して首輪側へ鋭角をなす姿勢にすれば、前記異形断面部は角環掛止部の入口に対して通過可能な短径側が臨む形になるため、極めて簡単に着脱操作を行える。また、このような首輪用紐体では、角環と固定金具との掛合部が構造的に非常に簡素で且つ機能的であり、作動が確実で故障しにくいため、高い信頼性及び耐久性が得られ、且つ安価に製作できるという利点がある。しかして、引き紐はペットの散歩時以外は殆ど使用する必要がなく、その不要時には首輪ごと外すことになるため、必然的に首輪の着用期間が少なくなり、それに伴って汚れが少なくなって長持ちさせることができると共に、ペットのストレスも軽減されることになる。
【００３２】
請求項２の発明によれば、上記の首輪用紐体において、角環の遊端側一辺の異形断面部が丸軸の径方向両側を切除して短径部を形成したものであるから、該角環の製作加工を低コストで容易に行えるという利点がある。
【００３３】
請求項３の発明によれば、上記の首輪用紐体において、角環が紐本体の一端に取り付けられた状態で内側に固定金具の全体を通過させ得る大きさであり、角環を固定金具の角環掛止部に掛合させずに、該固定金具をループから外れる位置として該ループの大きさを可変にできるから、この状態のループを例えば引っ張り癖のある犬等の首に掛け、引っ張った際にループの縮小によって首が締め付けられるようにし、もって引っ張り癖を治すように躾けることができる。
【００３４】
請求項４の発明によれば、上記の首輪用紐体において、紐本体の引き紐側が所要箇所で２つに分離され、その分離端部同士が連結具を介して相対回転及び着脱可能に連結されてなる構成としているから、使用中の引き紐の捩れが防止され、もって捩れによって引き紐が短くなったり、引き紐を掴んでいる手を痛めたりする懸念がないと共に、首輪側紐と末尾側紐の一方が汚損、傷損、切断等で使用不能になっても、その一方のみを取り替えできて使用勝手がよく、また必要に応じて末尾側紐を例えば長尺のものや末尾に繋ぎ止め手段を有するもの等に付け替えできるという利点がある。
【００３５】
請求項５の発明によれば、上記の首輪用紐体において、固定金具の角環掛止部に、その断面Ｃ字形の曲がり方向に沿う補強リブを有することから、使用中に角環４との掛合部に外力が加わっても、当該角環掛止部が入口の開きを大きくするように変形しにくく、もって角環が不用意に角環掛止部４から外れるのを確実に防止でき、それだけ作動の信頼性が高くなると共に、耐久性も向上するという利点がある。
【００３６】
請求項６の発明によれば、上記の首輪用紐体において、固定金具は、紐本体に跨嵌させるコ字枠状の金具本体と、該金具本体の両側脚片間に揺動自在に枢着された板状のロックレバーと、このロックレバーをロック状態に保持するロック保持手段とを備え、金具本体には前記角環掛止部が一体形成されると共に、ロックレバーの一端側には鋸刃状係止歯が形成され、該鋸刃状係止歯を金具本体とロックレバーとの間に通した紐本体に食い込ませて該紐本体に止着するように構成され、この止着構造はズボン等に使用する皮ベルトのべルト金具に汎用されている一般的な止着構造と同様であるから、作動の信頼性が高く、且つ該べルト金具の製作工程の適用によって容易に且つ安価に製作できるという利点がある。
【００３７】
請求項７の発明によれば、金具本体にロックレバーを有する上記の首輪用紐体において、金具本体の両側脚片の内面に凸部が形成され、両凸部間の間隔が前記ロックレバーの他端側対応部の幅よりも若干狭く設定され、前記ロック保持手段は、金具本体の両側脚片の弾性を利用して、ロックレバーの他端側を外側から両側脚片間の内側へ両凸部間を越えて強制的に嵌入させるようにしたものであるから、紐本体に対する固定金具の固定と固定解除操作を容易に行えるという利点がある。
【図面の簡単な説明】
【図１】本発明の一実施形態による首輪用紐体を示し、（Ａ）は使用状態の斜視図、（Ｂ）は首輪側を拡大した斜視図である。
【図２】同首輪用紐体に使用される固定金具をロックレバーが開いた状態で示す斜視図である。
【図３】同首輪用紐体に使用される角環の一部を切断した状態で示す斜視図である。
【図４】同角環及び固定金具を示し、（Ａ）は角環の縦断側面図、（Ｂ）は同正面図、（Ｃ）は固定金具の縦断側面図、（Ｄ）は同正面図である。
【図５】同角環の固定金具への掛止状態を示し、（Ａ）は角環を掛止方向に作用させた状態を、（Ｂ）はその反対方向に作用させた状態を示す。
【図６】連結具の使用状態を示し、（Ａ）は斜視図、（Ｂ）は縦断面図である。
【符号の説明】
Ｔ　　　　首輪用紐体
Ｌ　　　　ループ
ａ　　　　長径
ｂ　　　　短径
ｃ　　　　内奥部幅
ｄ　　　　入口開き幅
１　　　　紐本体
１ａ　　　輪状部（一端）
１１　　　首輪
１２　　　引き紐
１２ａ　　首輪側紐
１２ｂ　　末尾側紐
２　　　　角環
２ａ　　　一辺
２ｂ　　　遊端側一辺
２０　　　異形断面部
３　　　　固定金具
３０　　　金具本体
３１　　　ロックレバー
４　　　　角環掛止部
４ａ　　　入口
５　　　　連結具
６　　　　補強リブ
７　　　　鋸刃状係止歯
８　　　　凸部
９　　　　把手
【図１】
2004121102.tif 000003
【図２】
2004121102.tif 000004
【図３】
2004121102.tif 000005
【図４】
2004121102.tif 000006
【図５】
2004121102.tif 000007
【図６】
2004121102.tif 000008